【手続補正書】
【提出日】平成29年11月14日(2017.11.14)
【手続補正１】
【補正対象書類名】明細書
【補正対象項目名】０００５
【補正方法】変更
【補正の内容】
【０００５】
以上の課題を解決するため、請求項１に記載の発明は、
始動入賞口への遊技球の入賞に基づき複数の識別情報を変動表示する変動表示ゲームの結果が特別結果となった場合に、変動入賞装置を閉状態から開状態へ変換して遊技者に遊技価値を付与可能な特別遊技状態を発生可能な遊技機において、
前記始動入賞口は、第１始動入賞口と、該第１始動入賞口とは異なる位置に配設された第２始動入賞口と、を備え、
前記第１始動入賞口への遊技球の入賞に基づく第１変動表示ゲームを表示可能な第１変動表示手段と、
前記第２始動入賞口への遊技球の入賞に基づく第２変動表示ゲームを表示可能な第２変動表示手段と、
前記第１始動入賞口への遊技球の入賞に基づき、前記第１変動表示ゲームの結果及び変動態様情報を当該第１変動表示ゲームの開始の際に決定することが可能な第１決定手段と、
該第１決定手段の決定結果に基づいて前記第１変動表示ゲームの実行制御を行うことが可能な第１変動表示ゲーム実行制御手段と、
前記第２始動入賞口への遊技球の入賞に基づき、前記第２変動表示ゲームの結果及び変動態様情報を当該第２変動表示ゲームの開始の際に決定することが可能な第２決定手段と、
該第２決定手段の決定結果に基づいて前記第２変動表示ゲームの実行制御を行うことが可能な第２変動表示ゲーム実行制御手段と、
前記第１変動表示ゲーム実行制御手段と前記第２変動表示ゲーム実行制御手段のいずれか一方の変動表示ゲーム実行制御手段によって一方の変動表示ゲームの実行制御を行っている場合に、他方の変動表示ゲーム実行制御手段によって実行制御が行われている他方の変動表示ゲームが前記特別結果となった場合に、前記一方の変動表示ゲームを中断して前記他方の変動表示ゲームに基づく前記特別遊技状態が終了したのちに中断していた前記一方の変動表示ゲームを再開する再開制御を実行可能な再開制御手段と、
停電が発生し当該遊技機への電源供給が停止しても遊技に関する情報を記憶保持可能であるとともに、停電復旧後には記憶保持された情報に基づき遊技を再開可能とする遊技情報記憶保持手段と、
遊技に関する演出表示を表示する表示装置と、
前記表示装置での表示を制御する演出制御手段と、を備え、
前記演出制御手段は、
停電復旧から所定条件が成立するまで停電復旧画面を前記表示装置に表示可能であり、
停電発生時に前記再開制御手段により前記一方の変動表示ゲームが中断されている場合であって、停電復旧後に当該一方の変動表示ゲームが再開されて前記特別結果が導出され、前記特別遊技状態が開始された場合には、当該特別遊技状態の開始から通常の遊技中の表示に復帰するようにしたことを特徴とする。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】変更
【補正の内容】
【０００７】
請求項２に記載の発明は、
始動入賞口への遊技球の入賞に基づき複数の識別情報を変動表示する変動表示ゲームの結果が特別結果となった場合に、変動入賞装置を閉状態から開状態へ変換して遊技者に遊技価値を付与可能な特別遊技状態を発生可能な遊技機において、
前記始動入賞口は、第１始動入賞口と、該第１始動入賞口とは異なる位置に配設された第２始動入賞口と、を備え、
前記第１始動入賞口への遊技球の入賞に基づく第１変動表示ゲームを表示可能な第１変動表示手段と、
前記第２始動入賞口への遊技球の入賞に基づく第２変動表示ゲームを表示可能な第２変動表示手段と、
前記第１始動入賞口への遊技球の入賞に基づき、前記第１変動表示ゲームの結果及び変動態様情報を当該第１変動表示ゲームの開始の際に決定することが可能な第１決定手段と、
該第１決定手段の決定結果に基づいて前記第１変動表示ゲームの実行制御を行うことが可能な第１変動表示ゲーム実行制御手段と、
前記第２始動入賞口への遊技球の入賞に基づき、前記第２変動表示ゲームの結果及び変動態様情報を当該第２変動表示ゲームの開始の際に決定することが可能な第２決定手段と、
該第２決定手段の決定結果に基づいて前記第２変動表示ゲームの実行制御を行うことが可能な第２変動表示ゲーム実行制御手段と、
前記第１変動表示ゲーム実行制御手段と前記第２変動表示ゲーム実行制御手段のいずれか一方の変動表示ゲーム実行制御手段によって一方の変動表示ゲームの実行制御を行っている場合に、他方の変動表示ゲーム実行制御手段によって実行制御が行われている他方の変動表示ゲームが前記特別結果となった場合に、前記一方の変動表示ゲームを中断して前記他方の変動表示ゲームに基づく前記特別遊技状態が終了したのちに中断していた前記一方の変動表示ゲームを再開する再開制御を実行可能な再開制御手段と、
停電が発生し当該遊技機への電源供給が停止しても遊技に関する情報を記憶保持可能であるとともに、停電復旧後には記憶保持された情報に基づき遊技を再開可能とする遊技情報記憶保持手段と、
遊技に関する演出表示を表示する表示装置と、
前記表示装置での表示を制御する演出制御手段と、を備え、
前記演出制御手段は、
停電復旧から所定条件が成立するまで停電復旧画面を前記表示装置に表示可能であり、
停電発生時に前記再開制御手段により前記一方の変動表示ゲームが中断されている場合であって、停電復旧後に当該一方の変動表示ゲームが再開されて前記結果が導出された場合には、当該結果の導出から通常の遊技中の表示に復帰するようにしたことを特徴とする。
【手続補正４】
【補正対象書類名】明細書
【補正対象項目名】０００８
【補正方法】削除
【補正の内容】
【手続補正５】
【補正対象書類名】特許請求の範囲
【補正対象項目名】全文
【補正方法】変更
【補正の内容】
【特許請求の範囲】
【請求項１】
始動入賞口への遊技球の入賞に基づき複数の識別情報を変動表示する変動表示ゲームの結果が特別結果となった場合に、変動入賞装置を閉状態から開状態へ変換して遊技者に遊技価値を付与可能な特別遊技状態を発生可能な遊技機において、
前記始動入賞口は、第１始動入賞口と、該第１始動入賞口とは異なる位置に配設された第２始動入賞口と、を備え、
前記第１始動入賞口への遊技球の入賞に基づく第１変動表示ゲームを表示可能な第１変動表示手段と、
前記第２始動入賞口への遊技球の入賞に基づく第２変動表示ゲームを表示可能な第２変動表示手段と、
前記第１始動入賞口への遊技球の入賞に基づき、前記第１変動表示ゲームの結果及び変動態様情報を当該第１変動表示ゲームの開始の際に決定することが可能な第１決定手段と、
該第１決定手段の決定結果に基づいて前記第１変動表示ゲームの実行制御を行うことが可能な第１変動表示ゲーム実行制御手段と、
前記第２始動入賞口への遊技球の入賞に基づき、前記第２変動表示ゲームの結果及び変動態様情報を当該第２変動表示ゲームの開始の際に決定することが可能な第２決定手段と、
該第２決定手段の決定結果に基づいて前記第２変動表示ゲームの実行制御を行うことが可能な第２変動表示ゲーム実行制御手段と、
前記第１変動表示ゲーム実行制御手段と前記第２変動表示ゲーム実行制御手段のいずれか一方の変動表示ゲーム実行制御手段によって一方の変動表示ゲームの実行制御を行っている場合に、他方の変動表示ゲーム実行制御手段によって実行制御が行われている他方の変動表示ゲームが前記特別結果となった場合に、前記一方の変動表示ゲームを中断して前記他方の変動表示ゲームに基づく前記特別遊技状態が終了したのちに中断していた前記一方の変動表示ゲームを再開する再開制御を実行可能な再開制御手段と、
停電が発生し当該遊技機への電源供給が停止しても遊技に関する情報を記憶保持可能であるとともに、停電復旧後には記憶保持された情報に基づき遊技を再開可能とする遊技情報記憶保持手段と、
遊技に関する演出表示を表示する表示装置と、
前記表示装置での表示を制御する演出制御手段と、を備え、
前記演出制御手段は、
停電復旧から所定条件が成立するまで停電復旧画面を前記表示装置に表示可能であり、
停電発生時に前記再開制御手段により前記一方の変動表示ゲームが中断されている場合であって、停電復旧後に当該一方の変動表示ゲームが再開されて前記特別結果が導出され、前記特別遊技状態が開始された場合には、当該特別遊技状態の開始から通常の遊技中の表示に復帰するようにしたことを特徴とする遊技機。
【請求項２】
始動入賞口への遊技球の入賞に基づき複数の識別情報を変動表示する変動表示ゲームの結果が特別結果となった場合に、変動入賞装置を閉状態から開状態へ変換して遊技者に遊技価値を付与可能な特別遊技状態を発生可能な遊技機において、
前記始動入賞口は、第１始動入賞口と、該第１始動入賞口とは異なる位置に配設された第２始動入賞口と、を備え、
前記第１始動入賞口への遊技球の入賞に基づく第１変動表示ゲームを表示可能な第１変動表示手段と、
前記第２始動入賞口への遊技球の入賞に基づく第２変動表示ゲームを表示可能な第２変動表示手段と、
前記第１始動入賞口への遊技球の入賞に基づき、前記第１変動表示ゲームの結果及び変動態様情報を当該第１変動表示ゲームの開始の際に決定することが可能な第１決定手段と、
該第１決定手段の決定結果に基づいて前記第１変動表示ゲームの実行制御を行うことが可能な第１変動表示ゲーム実行制御手段と、
前記第２始動入賞口への遊技球の入賞に基づき、前記第２変動表示ゲームの結果及び変動態様情報を当該第２変動表示ゲームの開始の際に決定することが可能な第２決定手段と、
該第２決定手段の決定結果に基づいて前記第２変動表示ゲームの実行制御を行うことが可能な第２変動表示ゲーム実行制御手段と、
前記第１変動表示ゲーム実行制御手段と前記第２変動表示ゲーム実行制御手段のいずれか一方の変動表示ゲーム実行制御手段によって一方の変動表示ゲームの実行制御を行っている場合に、他方の変動表示ゲーム実行制御手段によって実行制御が行われている他方の変動表示ゲームが前記特別結果となった場合に、前記一方の変動表示ゲームを中断して前記他方の変動表示ゲームに基づく前記特別遊技状態が終了したのちに中断していた前記一方の変動表示ゲームを再開する再開制御を実行可能な再開制御手段と、
停電が発生し当該遊技機への電源供給が停止しても遊技に関する情報を記憶保持可能であるとともに、停電復旧後には記憶保持された情報に基づき遊技を再開可能とする遊技情報記憶保持手段と、
遊技に関する演出表示を表示する表示装置と、
前記表示装置での表示を制御する演出制御手段と、を備え、
前記演出制御手段は、
停電復旧から所定条件が成立するまで停電復旧画面を前記表示装置に表示可能であり、
停電発生時に前記再開制御手段により前記一方の変動表示ゲームが中断されている場合であって、停電復旧後に当該一方の変動表示ゲームが再開されて前記結果が導出された場合には、当該結果の導出から通常の遊技中の表示に復帰するようにしたことを特徴とする遊技機。